(57)【要約】【課題】施工性を向上させた竪樋の取付構造を提供する。【解決手段】本発明は、竪樋９１を壁面９２に支持する取付構造であって、竪樋９１側に設けられ竪樋９１を支持する支持具１と、壁面９２側に設けられ支持具１を取り付ける固定具２とを備え、支持具１は、壁面９２側に突出して設けられた基部１１と、基部１１の突出先端に設けられ固定具２に保持される取付部１３とを有し、取付部１３は、基部１１に対して正面視側方に突出した突起形状部１４を有し、固定具２は、上下に長尺な長穴部２１を備え、長穴部２１は、その穴内部において、取付部１３が上下に移動自在であり、長穴部２１は、その開口部２３として、取付部１３を差入れ自在な寸法で開口した第１開口部２４と、取付部１３を差入れ不能な寸法で且つ基部１１を差入れ自在な寸法で開口した第２開口部２５とを上下に連通して有するものである。【選択図】図１
2015052232.tif 000002
【特許請求の範囲】
【請求項１】
竪樋を壁面に支持する取付構造であって、
前記竪樋側に設けられ前記竪樋を支持する支持具と、前記壁面側に設けられ前記支持具を取り付ける固定具とを備え、
前記支持具は、前記竪樋側から前記壁面側に突出して設けられた基部と、この基部の突出先端に設けられ前記固定具に保持される取付部とを有し、
前記取付部は、前記基部に対して正面視側方に突出した突起形状部を有し、
前記固定具は、上下に長尺な長穴部を備え、
前記長穴部は、その穴内部において、前記取付部が上下に移動自在であり、
前記長穴部は、その開口部として、前記取付部を差入れ自在な寸法で開口した第１開口部と、前記取付部を差入れ不能な寸法で且つ前記基部を差入れ自在な寸法で開口した第２開口部とを上下に連通して有するものであることを特徴とする取付構造。
【請求項２】
前記固定具は、前記長穴部を上下に所定の間隔を置いて複数有するものであることを特徴とする請求項１記載の取付構造。
【請求項３】
前記取付部は、球形状に形成されたものであることを特徴とする請求項１または請求項２記載の取付構造。
【請求項４】
前記長穴部は、前記第２開口部側の穴内部に、前記取付部を上下に位置決めする位置決め部を備えたものであることを特徴とする請求項１乃至３のいずれか一項記載の取付構造。
【請求項５】
前記支持具は、前記基部を前記竪樋に取り付ける固着部材を備え、
前記取付部及び前記基部を難溶着材料で形成し、前記固着部材を熱可塑性の樹脂材料で形成したものであることを特徴とする請求項１乃至４のいずれか一項記載の取付構造。
【発明の詳細な説明】
【技術分野】
【０００１】
本発明は、竪樋を壁面に取り付ける取付構造に関するものである。
【背景技術】
【０００２】
従来から、鉛直方向に延在する竪樋を建物の外壁等の壁面に取り付ける取付構造がある（特許文献１等参照）。この取付構造は、竪樋と、取付具と、取付板とからなる。竪樋は、長手方向に沿って係合溝が設けてある。取付板は、鉛直方向に所定の間隔をあけるように壁面に複数取り付けてある。取付具は、一端側に球状形状の係止部を有し、他端側に取付板に取り付けられる係合部を有する。この取付構造は、係合部を取付板に取り付けた後、竪樋を係止部に押し当てて、係止部で係合溝の入り口を押し広げて、係止部を係合溝に挿入し、係止部を係合溝に挿嵌することで、竪樋を取付板に取り付けている。
【先行技術文献】
【特許文献】
【０００３】
【特許文献１】特開平９−２２８５９４号公報
【発明の概要】
【発明が解決しようとする課題】
【０００４】
ところで、特許文献１等の取付構造では、係止部で係合溝を弾性変形させることで、取り付けている。このため、竪樋を取付具に押し付ける強い押圧力が必要であったり、この押圧力によって竪樋に変形を生じたりする恐れがある等で、施工が行い難い（施工性が高くない）という問題がある。
【０００５】
そこで、本発明は、上記従来の問題点に鑑みて発明したもので、その目的とするところは、施工を行い易くした（施工性を向上させた）取付構造を提供することにある。
【課題を解決するための手段】
【０００６】
上記課題を解決するために、本発明は、竪樋を壁面に支持する取付構造であって、前記竪樋側に設けられ前記竪樋を支持する支持具と、前記壁面側に設けられ前記支持具を取り付ける固定具とを備え、前記支持具は、前記竪樋側から前記壁面側に突出して設けられた基部と、この基部の突出先端に設けられ前記固定具に保持される取付部とを有し、前記取付部は、前記基部に対して正面視側方に突出した突起形状部を有し、前記固定具は、上下に長尺な長穴部を備え、前記長穴部は、その穴内部において、前記取付部が上下に移動自在であり、前記長穴部は、その開口部として、前記取付部を差入れ自在な寸法で開口した第１開口部と、前記取付部を差入れ不能な寸法で且つ前記基部を差入れ自在な寸法で開口した第２開口部とを上下に連通して有するものであることを特徴とする。
【０００７】
この取付構造として、前記固定具は、前記長穴部を上下に所定の間隔を置いて複数有するものであることが好ましい。
【０００８】
この取付構造として、前記長穴部は、前記第２開口部側の穴内部に、前記取付部を上下に位置決めする位置決め部を備えたものであることが好ましい。
【０００９】
この取付構造として、前記支持具は、前記基部を前記竪樋に取り付ける固着部材を備え、前記取付部及び前記基部を難溶着材料で形成し、前記固着部材を熱可塑性の樹脂材料で形成したものであることが好ましい。
【発明の効果】
【００１０】
本発明は、前記構成を具備したことで、第１開口部を介して長穴部内に取付部を挿入した状態で、基部が第２開口部に至るまで降下させることで、容易に支持具を固定具に取り付けることができる。これによって、取付構造は、竪樋の壁面への取付を行い易くなり、施工性を向上させることができる。
【図面の簡単な説明】
【００１１】
【図１】第１実施形態の取付構造の断面図である。
【図２】竪樋に設けた状態の支持具を示し、（ａ）が平面図であり、（ｂ）が背面図である。
【図３】固定具の正面図である。
【図４】第２実施形態の取付構造の後方（背面側）から視た断面図である。
【図５】第３実施形態の取付構造の断面図である。
【図６】竪樋に設けた状態の支持具の平面図である。
【図７】第４実施形態の竪樋に設けた状態の支持具の断面図を示し、（ａ）が溶着前であり、（ｂ）が溶着後である。
【図８】第５実施形態の取付構造の固定具周辺の断面図である。
【図９】第６実施形態の取付構造の固定具周辺の断面図である。
【図１０】第２開口部を矩形形状とした例の固定具の正面図である。
【発明を実施するための形態】
【００１２】
以下、本発明を添付図面に基づいて説明する。本実施形態の取付構造は、竪樋９１を建物の壁面９２に取り付ける構造である。竪樋９１は、これ（取付構造）によって、壁面９２に支持される。
【００１３】
取付構造は、図１に示すように、竪樋９１側に設けられ竪樋９１を支持する支持具１と、壁面９２側に固定して設けられ支持具１を保持する固定具２とを備える。以下、取付構造を説明するにあたり、例えば、竪樋９１側を前方、壁面９２側を後方、竪樋９１の長手方向を上下とし、正面視において上下に直交する向き（上下及び前後の両方向に直交する向き）を左右とする。
【００１４】
支持具１は、竪樋９１に対して上下に所定の間隔をおいて複数取り付けてある。支持具１は、例えば、図２に示すように、竪樋９１に固着される基部１１と、固定具２に取付・保持される取付部１３とを有する。このため、支持具１は、竪樋９１に固定して設けてある。なお、支持具１は、例えば、竪樋９１に固定するにあたり、溶着を用いる場合、熱可塑性樹脂や熱可塑性樹脂成分を含有した熱硬化性樹脂等の熱可塑性の樹脂材料（熱可塑性を有する樹脂材料）で形成されることが好ましい。
【００１５】
基部１１は、例えば、円柱状に形成されており、円柱の軸方向における一端が溶着や接着等で竪樋９１の外周面に固着してある。言い換えると、基部１１は、突出方向における基端側が、竪樋９１に固着する固着部１２となっている。
【００１６】
基部１１は、平面視竪樋９１から離れる向きで（壁面９２側に向けて）竪樋９１に対して突出して設けてある。また、基部１１は、突出先端（円柱の軸方向における他端）に、取付部１３が設けてある。
【００１７】
取付部１３は、例えば、壁面９２側から視て（背面視）円形の板状（所謂円盤状）に形成される。そして、取付部１３は、基部１１と同心で且つ基部１１に比べて大径で設けてある。このため、取付部１３は、背面視（正面視）において、基部１１より左右外側（径外方向）に突出する部位（突起形状部１４）を有する。
【００１８】
固定具２は、図３に示すように、壁面９２に固定して設けてある。固定具２は、支持具１に比べて上下に長尺形成される。固定具２は、上下に長尺な長穴部２１を備える。長穴部２１は、内部の上下寸法が取付部１３の円盤の直径の２倍以上の寸法で設けてあり、左右幅が取付部１３の前記直径と同じ或いは前記直径に比べて大寸で設けてある。このため、長穴部２１は、その内部において、取付部１３を上下に移動自在となっている。
【００１９】
長穴部２１は、開口部２３として、取付部１３を差入れ自在（差入れ可能）な寸法で開口した第１開口部２４と、取付部１３を差入れ不能な寸法で開口した第２開口部２５とを、上下に連通して有する。
【００２０】
言い換えると、長穴部２１は、寸法の異なる二つの開口部（第１開口部２４、第２開口部２５）を上下に連通して有する。すなわち、長穴部２１は、開口部２３が所謂だるま穴形状となっている。なお、本例において、開口部２３は、例えば、所謂棒鍵用の鍵穴形状となっている。
【００２１】
第１開口部２４は、正面視円形状に開口して設けてある。第１開口部２４の直径は、取付部１３の直径と同じ或いはこの直径に比べて大寸となっている。このため、第１開口部２４は、取付部１３及び基部１１を通過させることができるようになっている。これによって、長穴部２１は、その穴内に第１開口部２４を介して取付部１３を出し入れ自在となる。
【００２２】
第２開口部２５は、正面視矩形形状に開口して設けてある。第２開口部２５の左右寸法（左右幅）は、取付部１３の直径（左右幅）に比べて小寸となっている。そして、第２開口部２５の左右幅は、基部１１の円柱の直径（左右幅）に比べて大寸となっている。このため、第２開口部２５は、取付部１３を通過させることができないが、基部１１を通過させることができるようになっている。これによって、長穴部２１は、その穴内に取付部１３を保持することができる。
【００２３】
言い換えると、第２開口部２５は、左右両方の端部（側端部２６）が夫々、長穴部２１の左右内側に突出して設けてある。このため、長穴部２１は、取付部１３（突起形状部１４）に第２開口部２５の側端部２６が干渉することで、穴内に支持具１を保持する（抜け止めする）よう構成してある。
【００２４】
また、長穴部２１は、第２開口部２５で開口する部位の上下寸法（上下長）が、例えば、取付部１３の直径（上下長）の２倍以上となっている。このため、支持具１は、取付部１３を長穴部２１内に配置した状態で、基部１１を第２開口部２５の左右内側（第２開口部２５内）で上下に移動自在となっている。
【００２５】
そして、取付構造は、例えば、以下のようにして、竪樋９１を壁面９２に取り付ける。まず、作業者は、壁面９２に固定具２を固定する。そして、作業者は、取付部１３を第１開口部２４から長穴部２１内に挿入して、基部１１を第１開口部２４内に配置する。この後、作業者は、竪樋９１（支持具１）を下方に押し降ろす等で、基部１１を第２開口部２５内に移動させる（下方に移動させる）。
【００２６】
これによって、支持具１が固定具２に取付・保持されるため、取付構造は、支持具１及び固定具２を介して竪樋９１を壁面９２に取り付けることができ、施工完了となる。
【００２７】
また、固定具２は、長穴部２１を所定の間隔をおいて上下に複数備えており、例えば、本例では、一つの固定具２に二つの長穴部２１が設けてある。上下に並ぶ複数の長穴部２１は、その上下の間隔が、竪樋９１上に複数の支持具１が上下に並ぶ前記間隔と、同寸になっている。
【００２８】
このように、取付構造は、竪樋９１を壁面９２に支持する取付構造である。取付構造は、竪樋９１側に設けられ竪樋９１を支持する支持具１と、壁面９２側に設けられ支持具１を取り付ける固定具２とを備える。支持具１は、竪樋９１側から壁面９２側に突出して設けられた基部１１と、基部１１の突出先端に設けられ固定具２に保持される取付部１３とを有する。取付部１３は、基部１１に対して正面視側方に突出した突起形状部１４を有する。固定具２は、上下に長尺な長穴部２１を備える。長穴部２１は、その穴内部において、取付部１３が上下に移動自在となっている。長穴部２１は、その開口部２３として、取付部１３を差入れ自在な寸法で開口した第１開口部２４と、取付部１３を差入れ不能な寸法で且つ基部１１を差入れ自在な寸法で開口した第２開口部２５とを上下に連通して有する。
【００２９】
このため、取付構造は、第１開口部２４を介して長穴部２１内に取付部１３を挿入した状態で、基部１１が第２開口部２５に至るまで支持具１を下げる（下方移動させる）ことで、容易に支持具１を固定具２に取り付けることができる。これによって、取付構造は、竪樋９１の壁面９２への取付を行い易くなり、施工性を向上させることができる。
【００３０】
また、長穴部２１は、第２開口部２５の左右幅を基部１１の前記直径（左右幅）に比べて大寸とすることが好ましい。この場合、取付構造は、第２開口部２５の側端部２６と基部１１との間に生じる隙間（所謂遊び）によって、寸法公差や溶着時等で上下の支持具１で左右に若干ずれを生じても、このずれの影響を軽減することができる。
【００３１】
これによって、取付構造は、左右の歪みを抑制して、竪樋９１を壁面９２に取り付けることができる。言い換えると、取付構造は、竪樋９１をその長手方向における屈曲（歪み）を抑制して、壁面９２に取り付けることができる。
【００３２】
また、固定具２は、長穴部２１を所定の間隔を置いて上下に複数備えることが好ましい。この場合、取付構造は、複数の長穴部２１を、所定の間隔に合わせて且つ上下一直線上に並べて、配置することができる。言い換えると、取付構造は、上下に並ぶ長穴部２１が左右にずれて配置されることを抑制することできる。これによって、取付構造は、竪樋９１をその長手方向に沿って真っ直ぐ（前記屈曲を抑制して）壁面９２に取り付けることができて、施工性を向上させることができる。
【００３３】
更に、取付構造は、一つの固定具２を壁面９２に固定するだけで、複数の長穴部２１を、所定の間隔で且つ上下一直線上に並べて、壁面９２に設けることができる。このため、取付構造は、長穴部２１毎に固定具２を壁面９２に設ける場合に比べて、施工時の工数を低減し易くすることができる。これによって、取付構造は、竪樋９１を壁面９２に取り付け易くすることができる。
【００３４】
また、長穴部２１は、第２開口部２５の上下長を基部１１の前記直径（上下長）に比べて大寸とすることが好ましい。この場合、取付構造は、第２開口部２５内に基部１１を配置した状態で、取付部１３の位置（上下位置）を変更させることができる。
【００３５】
これによって、取付構造は、例えば、複数の長穴部２１の上下間隔と、複数の支持具１の上下間隔に、製造誤差や竪樋９１の熱膨張等で寸法差を有する場合等に、基部１１が第２開口部２５内で上下にずれることで、前記寸法差の影響を軽減することができる。言い換えると、取付構造は、上下の寸法差の影響（上下の歪み）を軽減して、竪樋９１を壁面９２に取り付けることができる。
【００３６】
また、第１実施形態の変形例（第２実施形態）の取付構造を、図４に基づいて説明する。なお、以下では、第１実施形態と同様の構成に対して、同じ符号を付して重複する説明は省略する。
【００３７】
長穴部２１は、第２開口部２５側の穴内部に、取付部１３を上下に位置決めする位置決め部４を備えることが好ましい。位置決め部４は、例えば、板ばね等の弾性体４１で形成される。弾性体４１は、例えば、第２開口部２５における各側端部２６の後方（長穴部２１の正面視第２開口部２５の各側端部２６に重なる内部空間）に夫々配置してある。
【００３８】
両弾性体４１は、例えば、上下に長さを有した板状に形成される。両弾性体４１は、互いに左右において板面側を対向させて配置される。
【００３９】
両弾性体４１は、上下の所定の位置にくびれ部４２が設けてある。両弾性体４１は、互いのくびれ部４２が左右に対向して位置する。各弾性体４１において、くびれ部４２は、正面視横倒しＶ字状に形成されており、Ｖ字の角側が夫々左右外方（対向する弾性体４１から離れる側）を向いている。
【００４０】
このため、位置決め部４は、長穴部２１の第２開口部２５側の穴内部において、上下の所定の位置（くびれ部４２の位置）に、両弾性体４１の左右の間（隙間）を左右に広げた凹所を有する。そして、位置決め部４は、前記凹所（くびれ部４２の位置）に取付部１３が配置されることで、取付部１３の上下の移動を規制して左右から取付部１３（突起形状部１４）を弾性的に挟持するよう構成される。
【００４１】
このため、取付構造は、長穴部２１内において、支持具１の上下位置が規定される（支持具１が上下に位置決めされる）。言い換えると、取付構造は、第２開口部２５に基部１１を配置した状態で、固定具２に対する支持具１の上下動を抑制することができる。これによって、取付構造は、がたつきを抑制して、竪樋９１を壁面９２に取り付けることができる。
【００４２】
更に、取付構造は、基部１１を第２開口部２５側に移動させるとき等に、例えば、取付部１３（突起形状部１４）と位置決め部４との干渉に伴う負荷変動（所謂クリック感）等から、作業者に基部１１の下方への移動量や位置等を把握させ易くすることができる。これによって、取付構造は、例えば、支持具１の下方移動の不足や過剰等を抑制し易くなる等で、安定した取付を行い易くしたり、施工の行い易くしたりすることができる。
【００４３】
また、両弾性体４１は、くびれ部４２より上方の部位が、上方側程互いに左右外方に離れる向きで傾斜している。このため、位置決め部４は、支持具１を第１開口部２４側から下方に移動させるときに、両弾性体４１の前記上方の部位の傾斜によって、取付部１３をくびれ部４２に案内するよう構成される。言い換えると、位置決め部４は、くびれ部４２の上方にガイド部４３を有する。
【００４４】
なお、位置決め部４は、第１開口部２４側の穴内部において、上下の複数位置から選択的（段階的）に或いは無段階に取付部１３を位置決め・保持するものであることが好ましい。この場合、位置決め部４は、例えば、正面視波状の弾性体４１を備える等でくびれ部４２（凹所）を複数有する。
【００４５】
この場合、位置決め部４は、例えば、第２開口部２５の上下長が基部１１の前記直径（上下長）に比べて大寸の場合等に、上下の歪みを軽減した状態の支持具１を上下に保持し易くすることができる。このため、取付構造は、上下のがたつきを抑制し且つ上下の歪みを軽減して、竪樋９１を壁面９２に取り付けることができる。
【００４６】
次に、第３実施形態の取付構造を、図５，６に基づいて説明する。なお、以下では、第１実施形態と同様の構成に対して、同じ符号を付して重複する説明は省略する。
【００４７】
本例では、取付部１３が球形状となっている。言い換えると、取付部１３は、左右両方（側方）に、半球状の突起形状部１４を有する。そして、基部１１は、第２開口部２５に挿通自在の軸部１６と、軸部１６の竪樋９１側の端部（基端）に設けられ固着部１２となる取付片１７とで形成される。
【００４８】
軸部１６は、前後に軸心を有する円柱状に形成される。軸部１６は、壁面９２側の端部（基部１１の前記突出先端）に取付部１３が一体に形成され、前記基端側に取付片１７が一体に形成される。
【００４９】
取付片１７は、軸部１６に比べて大寸の左右幅で設けてあり、例えば、正面視矩形や円形等の板状に形成される。取付片１７は、溶着や接着等で竪樋９１側の板面側が竪樋９１の外周面に固着してある。
【００５０】
また、長穴部２１は、内部空間が平面視矩形状に形成してある。このため、支持具１を固定具２に取り付けた状態において、長穴部２１は、取付部１３（突起形状部１４）の両側（左右の端部）に対して前後に隙間を有するよう構成される。
【００５１】
このように、支持具１は、取付部１３を球形状に設けることが好ましい。この場合、取付構造は、取付部１３が後方側に曲面を有するため、第１開口部２４に挿通するとき等に、第１開口部２４の縁部に取付部１３（突起形状部１４）を引っ掛かり難くすることができる。これによって、取付構造は、支持具１を固定具２に取り付け易くすることができて、施工性を向上させることができる。
【００５２】
また、取付部１３を球形状とした場合において、長穴部２１は、第２開口部２５の左右幅を軸部１６の左右幅（軸部１６の直径）に比べて大寸に形成する（第２開口部２５が左右に所謂遊びを有する）ことが好ましい。
【００５３】
この場合、支持具１は、取付部１３をその曲面に沿って左右に回動させることができる。これによって、取付構造は、例えば、壁面９２に不陸を有する等で固定具２を左右に傾けて固定したとき等に、基部１１の突出方向を水平に保持し易くなる。言い換えると、取付構造は、壁面９２の左右の不陸に対応させて、竪樋９１を壁面９２に取り付けることができる。
【００５４】
また、取付部１３を球形状とした場合において、長穴部２１は、第２開口部２５及び第２開口部２５の後方の内部空間を取付部１３の前記直径に比べて上下に長尺に形成する（第２開口部２５及び前記内部空間が上下に遊びを有する）ことが好ましい。
【００５５】
この場合、支持具１は、取付部１３をその曲面に沿って上下に回動させることができる。これによって、取付構造は、例えば、壁面９２に不陸を有する等で固定具２を鉛直方向に対して前後に傾けて固定したとき等に、基部１１の突出方向を水平に保持し易くなる。言い換えると、取付構造は、壁面９２の上下の不陸に対応させて、竪樋９１を壁面９２に取り付けることができる。
【００５６】
また、基部１１は、取付部１３を保持する軸部１６と、軸部１６の竪樋９１側の端部に設けられ正面視軸部１６外方に突出する取付片１７を有することが好ましい。この場合、支持具１は、取付片１７で竪樋９１に固着されるため、軸部１６に比べて広い面積で竪樋９１に固着される。これによって、支持具１は、軸部１６で固着した場合に比べて強固に、竪樋９１に取り付けることができる。
【００５７】
また、取付部１３を球形状とした場合において、長穴部２１は、内部空間を平面視矩形状に形成することが好ましい。
【００５８】
この場合、軸部１６と第２開口部２５との左右の間に前記遊びを有する場合等に、支持具１は、軸部１６を前後に対して左右に傾けた姿勢で、竪樋９１を固定具２に支持することができる。これによって、取付構造は、上下に並ぶ長穴部２１が左右に位置ずれを生じても、その影響を軽減して（竪樋９１の前記屈曲を抑制して）、竪樋９１を壁面９２に取り付けることができる。
【００５９】
また、第３実施形態の変形例として、取付部１３を金属製としたものがある。この変形例を第４実施形態の取付構造として、図７に基づいて説明する。なお、以下では、第３実施形態と同様の構成に対して、同じ符号を付して重複する説明は省略する。
【００６０】
本例において、支持具１は、取付部１３と基部１１とを金属製で備える。更に、支持具１は、基部１１を竪樋９１に固着する樹脂製の固着部材３を備える。言い換えると、支持具１は、固着部１２として、基部１１と別体の固着部材３が設けてある。そして、取付部１３及び基部１１が金属製となっており、固着部材３が樹脂製となっている。
【００６１】
固着部材３は、例えば、前記熱可塑性の樹脂材料で形成される。固着部材３は、例えば、前方に開口した矩形箱状に形成されており、図７に示すように、水平に切断した形状（水平断面形状）が、前方に開口した角型Ｕ字状となっている。言い換えると、固着部材３は、板状の後面部３１と、後面部３１の左右及び上下の各端部から前方に突出する板状の側面部３２とで形成される。
【００６２】
固着部材３は、側面部３２の前端（箱の前方開口側の端部）を溶着にて竪樋９１に固着される。また、後面部３１は、前後の厚さ寸法が、軸部１６の前後の長さ寸法に比べて小寸となっている。そして、固着部材３は、後面部３１の正面視中央に貫通孔３３が設けてある。
【００６３】
貫通孔３３は、軸部１６を挿通可能で、且つ取付部１３及び取付片１７が挿通不可能な寸法で形成される。言い換えると、貫通孔３３は、正面視の直径が、軸部１６と同じ或いは軸部１６より大寸となっており、軸部１６より大寸の場合では、取付部１３及び取付片１７のいずれよりも小寸となっている。
【００６４】
このため、基部１１は、前後において、固着部材３に取付部１３や取付片１７で抜け止めして設けてある。そして、支持具１は、例えば、インサート成形等を用いて固着部材３を形成する等で、軸部１６を貫通孔３３に挿通している。
【００６５】
このように、支持具１は、基部１１を竪樋９１に固着するための固着部材３を更に備える。そして、取付構造は、取付部１３及び基部１１を難溶着材料で形成し、固着部材３を熱可塑性の樹脂材料で形成することが好ましい。
【００６６】
なお、前記難溶着材料とは、前述の金属材料の他、セラミックス材料や、熱硬化性の樹脂材料等の溶着での固着が困難な材料（溶着装置で溶けない材料）である。
【００６７】
この場合、取付構造は、難溶着材料製の取付部１３及び基部１１を、固着部材３を介した溶着を用いて、竪樋９１に取り付けることができる。これによって、取付構造は、難溶着材料製の取付部１３及び基部１１を、接着に比べて強固に竪樋９１に取り付けることができる。
【００６８】
また、取付構造は、取付部１３を前後に付勢する付勢部５を長穴部２１に設けることが好ましい。この場合の実施形態として、例えば、図８に示す第５実施形態と、図９に示す第６実施形態とを例示する。なお、第５，６実施形態の説明において、第３実施形態と同様の構成に対して同じ符号を付し、重複する説明は省略する。
【００６９】
第５実施形態では、図８に示すように、長穴部２１の内部の後面（内後面２２）に、付勢部５が設けてある。付勢部５は、長穴部２１の穴内部において、取付部１３を第２開口部２５の側端部２６に押し付けるように付勢するよう構成される。
【００７０】
付勢部５は、例えば、ばね部材５１を備える。このばね部材５１は、取付部１３の後端を前方に弾性的に付勢する（弾性付勢する）よう構成される。
【００７１】
このため、支持具１は、付勢部５によって取付部１３が第２開口部２５の側端部２６に弾性的に押し付けられて（押圧されて）、取付部１３の前後の遊びが解消される。これによって、取付構造は、支持具１を前後において位置決め・保持して固定具２に取り付けることができて、竪樋９１（支持具１）の前後のがたつきを抑制することができる。
【００７２】
第６実施形態では、第２開口部２５の側端部２６が、図９に示すように、左右内側程後方に近づくよう平面視前後に傾斜して設けてある。そして、第２開口部２５の側端部２６は、前後に対して弾性を有する。
【００７３】
このため、支持具１は、基部１１を第１開口部２４から第２開口部２５に移動させるとき、取付部１３で第２開口部２５の側端部２６を前方に弾性変形させて、長穴部２１内部に取付部１３を配置する空間を形成する。言い換えると、支持具１は、下方に移動させて取付部１３で第２開口部２５の側端部２６を弾性変形させることで、長穴部２１の内部空間（穴内部）の前後長を、取付部１３を配置可能な寸法に押し広げることができる。
【００７４】
このとき、支持具１は、長穴部２１の穴内部において、第２開口部２５の側端部２６によって取付部１３が後方に弾性的に付勢される（内後面２２に押し付けられる）。すなわち、第６実施形態では、第２開口部２５の側縁部が付勢部５となっている。
【００７５】
このため、支持具１は、取付部１３の前後の遊びが解消される。これによって、取付構造は、支持具１を前後において位置決め・保持して固定具２に取り付けることができて、竪樋９１（支持具１）の前後のがたつきを抑制することができる。
【００７６】
なお、本発明は、前述の各実施形態の構成のみに限定されるものではなく、本発明の意図する範囲内であれば、適宜の設計変更を行うことが可能である。
【００７７】
例えば、固定具２は、図１０に示すように、第１開口部２４を正面視矩形形状に設けてもよい。また例えば、位置決め部４は、取付部１３を上下の移動を規制して左右から挟持可能（保持可能）であれば、突起等で保持するよう構成されてもよい。また例えば、第３乃至５実施形態において、固定具２は、位置決め部４を備えたものであってもよい。
【００７８】
また例えば、支持具１は、竪樋９１の外周を覆うように取り付けて竪樋９１を保持する環状の樋保持部を有し、この樋保持部に基部１１を固着したものであってもよい。すなわち、支持具１は、竪樋９１側に設けられ竪樋９１を支持可能なものであればよく、竪樋９１に固定して設けたものに限らない。
【符号の説明】
【００７９】
１  支持具
１１  基部
１２  固着部
１３  取付部
１４  突起形状部
１６  軸部
２  固定具
２１  長穴部
２３  開口部
２４  第１開口部
２５  第２開口部
２６  側端部
３  固着部材
９１  竪樋
９２  壁面
【図１】
2015052232.tif 000003
【図２】
2015052232.tif 000004
【図３】
2015052232.tif 000005
【図４】
2015052232.tif 000006
【図５】
2015052232.tif 000007
【図６】
2015052232.tif 000008
【図７】
2015052232.tif 000009
【図８】
2015052232.tif 000010
【図９】
2015052232.tif 000011
【図１０】
2015052232.tif 000012